(57)【特許請求の範囲】
【請求項１】
シリンダ（３６）のピストンロッド（３６ａ）に支持板（１）を介して取り付けられているハウジング（２）と、該ハウジング（２）内に回転可能かつ軸方向移動不能に嵌挿されている円柱状のロータ（３）と、該ロータ（３）の上部に取り付けられている吹込ノズル（３７）と、前記ロータ（３）を回転する回転用モータ（４）とから構成され、前記ロータ（３）には、軸方向に３本の穴（９ａ，９ｂ，９ｃ）が設けられ、それぞれの穴（９ａ，９ｂ，９ｃ）の下端は、ハウジング（２）の壁部に貫通して設けられている穴（５ａ，５ｂ，５ｃ）にリング状溝（８ａ，８ｂ，８ｃ）を介して連通され、前記３本の穴（９ａ，９ｂ，９ｃ）の上端は、吹込ノズル（３７）の中心に貫通して設けられている空気吹込穴（１４ｂ）と、空気吹込穴（１４ｂ）の周囲に設けられている冷却水入・出ジャケット（１４ａ，１４ｃ）にそれぞれ連通されていることを特徴とする中空成形機の吹込ノズル回転装置。
【請求項２】
シリンダ（３６）のピストンロッド（３６ａ）に支持板（１）を介して取り付けられているハウジング（２）と、該ハウジング（２）内に回転可能かつ軸方向移動不能に嵌挿されている円柱状のロータ（３）と、該ロータ（３）の上部に取り付けられている吹込ノズル（３７）と、前記ロータ（３）を回転する回転用モータ（４）とから構成され、
前記ハウジング（３）の壁部には、縦方向に間隔を置いて３つの穴（５ａ，５ｂ，５ｃ）が貫通して設けられ、
前記ロータ（３）の外周壁には、前記ハウジング（２）の穴（５ａ，５ｂ，５ｃ）に対応した位置にリング状溝（８ａ，８ｂ，８ｃ）が円周方向に設けられ、
前記ロータ（３）の軸方向には、３本の穴（９ａ，９ｂ，９ｃ）が設けられ、その穴（９ａ，９ｂ，９ｃ）の下部は半径方向の穴（１０ａ，１０ｂ，１０ｃ）を介して前記溝（８ａ，８ｂ，８ｃ）と連通され、
前記吹込ノズル（３７）の軸方向には、前記ロータ（３）の中心に設けられた穴（９ｂ）と連通する空気吹込穴（１４ｂ）が貫通して設けられ、その周囲には、前記ロータ（３）に設けられた穴（９ａ，９ｃ）とそれぞれ連通する半環状の冷却水入・出ジャケット（１４ａ，１４ｃ）が設けられていることを特徴とする請求項１記載の中空成形機の吹込ノズル回転装置
【請求項３】
前記吹込ノズル（３７）は、パリソン拡張装置の拡張ピンを兼ねていることを特徴とする請求項１または２記載の中空成形機の吹込ノズル回転装置。
【発明の詳細な説明】
【０００１】
【発明の属する技術分野】
本発明は、中空成形機の吹込ノズル回転装置に係るものであり、特に、中空成形機のパリソン拡張装置に使用される吹込ノズルに適した回転装置に関するものである。
【０００２】
【従来の技術】
中空成形機のパリソン拡張装置は、図６に示すように金型２１の下方に設けられ、ダイヘッド２２より金型２１間に垂下された円筒状のパリソン２３の下方から、左右一対の拡張ピン３７を油圧シリンダ３６によって挿入して、この拡張ピン３７を互いに離隔する方向に移動してパリソン２３を拡張するものである。なお、通常、拡張ピン３７の少なくとも一方は、空気吹込ノズルを兼ねている。
【０００３】
上記パリソン拡張装置は、例えば、左右の少なくとも一方に開口部を有する扁平な中空成形品を成形する場合に使用される。すなわち、まず、拡張ピン３７をパリソン２３内に入れるために拡張ピン３７間を縮め、次に、開口部の位置まで拡張ピン３７を拡張して、型閉し、パリソン２３内に空気を吹き込んで成形する。
【０００４】
上記中空成形品の開口部に内ネジまたは外ネジを設ける場合、例えば図７に示すような灯油缶２５を成形する場合、同図に示すような吹込ノズル回転装置を設ける必要がある。この吹込ノズル回転装置は、パリソン拡張装置の油圧シリンダ３６のピストンロッド３６ａの上部に吹込ノズル（拡張ピン）３７と回転用モータ４を有する支持板１を取り付けて構成され、吹込ノズル３７を回転用モータ４によりスプロケット１１ａ，１１ｂ、チェーン１２等を介して回転可能としている。なお、吹込ノズル３７の中心部には空気吹込穴１４が貫通して設けられ、この空気吹込穴１４の下部にはエアー供給用の回転継手２６が取り付けられている。次に、吹込ノズル回転装置の動作を説明する。
【０００５】
金型２１内のパリソン２３に、吹込ノズル３７の空気吹込穴１４からエアーを吹き込み、中空成形品を成形した後、吹込ノズル回転装置によって吹込ノズル３７を回転して、吹込ノズル３７を中空成形品から取り外し、次に、金型２１を開いて中空成形品を取り出す。
【０００６】
【発明が解決しようとする課題】
従来の吹込ノズル回転装置は、吹込ノズルに回転継手を設置しているので、ノズルが回転してもエアーを供給することができるが、冷却水を供給することができないので、ノズルの温度が成形中に高くなり、成形サイクルを短縮できないという問題点があった。
【０００７】
本発明は、このような問題点を解決するためになされたもので、吹込ノズルの冷却を可能として、成形サイクルの短縮を可能とした中空成形機の吹込ノズル回転装置を提供することを課題とする。
【０００８】
【課題を解決するための手段】
上述した課題を本発明では次のようにして解決した。すなわち、吹込ノズルの軸方向に、空気吹込穴と冷却水入出ジャケットとを設け、吹込ノズルの下部に、ハウジング内に回転可能かつ軸方向移動不能に嵌挿されている円柱状のロータを配設し、このロータに前記空気吹込穴と冷却水入出ジャケットに連通する穴を同心に設け、この穴を、ロータの円周方向に設けたリング状溝を介してハウジングに設けた冷却水入出口と空気供給口に連通させた。これにより、吹込ノズル回転装置において、吹込ノズルの冷却が可能となった。
【０００９】
【発明の実施の形態】
本発明による中空成形機の吹込ノズル回転装置は、シリンダのピストンロッドに支持板を介して取り付けられているハウジングと、該ハウジング内に回転可能かつ軸方向移動不能に嵌挿されている円柱状のロータと、該ロータの上部に取り付けられている吹込ノズルと、前記ロータを回転する回転用モータとから構成され、前記ロータには、軸方向に３本の穴が設けられ、それぞれの穴の下端は、ハウジングの壁部に貫通して設けられている穴にリング状溝を介して連通され、前記３本の穴の上端は、吹込ノズルの中心に貫通して設けられている空気吹込穴と、空気吹込穴の周囲に設けられている冷却水入・出ジャケットにそれぞれ連通されていることを特徴とする。
【００１０】
本発明による中空成形機の吹込ノズル回転装置は、シリンダのピストンロッドに支持板を介して取り付けられているハウジングと、該ハウジング内に回転可能かつ軸方向移動不能に嵌挿されている円柱状のロータと、該ロータの上部に取り付けられている吹込ノズルと、前記ロータを回転する回転用モータとから構成され、前記ハウジングの壁部には、縦方向に間隔を置いて３つの穴が貫通して設けられ、前記ロータの外周壁には、前記ハウジングの穴に対応した位置にリング状溝が円周方向に設けられ、前記ロータの軸方向には、３本の穴が設けられ、その穴の下部は半径方向のを介して前記溝と連通され、前記吹込ノズルの軸方向には、前記ロータの中心に設けられた穴と連通する空気吹込穴が貫通して設けられ、その周囲には、前記ロータに設けられた穴とそれぞれ連通する半環状の冷却水入・出ジャケットが設けられていることを特徴とする。
【００１１】
さらに、前記吹込ノズルは、パリソン拡張装置の拡張ピンを兼ねていることを特徴とする。
【００１２】
【実施例】
本発明による中空成形機の吹込ノズル回転装置について図面を参照して説明する。なお、従来例と同一または同等の部分については同一符号を用いて説明する。まず、図４および図５を参照して本発明が適用されるパリソン拡張装置について説明する。パリソン拡張装置は、一対のパリソン拡張部材３１と、両拡張部材３１を接離可能とする一対の開閉シリンダ３２と、昇降架台３３と、架台昇降装置３４とから構成されている。
【００１３】
前記拡張部材３１は、昇降架台３３上に敷設された２本のレール３８上にガイドブッシュを介して前後動可能に載置されているサポートブロック３５と、このブロック３５間に支軸を介してサポートされている油圧シリンダ３６と、この油圧シリンダ３６のピストンロッドに取り付けられている拡張ピン３７とから構成されている。なお、前記油圧シリンダ３６は支軸を介して図５に示すように手動で傾斜させることができる。
【００１４】
前記開閉シリンダ３２の後端は、取付ブロック３９を介して昇降架台３３に取り付けられ、開閉シリンダ３２のピストンロッドの先端は、クレビスを介してパリソン拡張部材３１のフランジ４１に連結されている。前記ピストンロッド４０の開閉ストロークを調整するために、昇降架台３３上に開限調整ストッパ４２と閉限調整ストッパ４３が取り付けられている。
【００１５】
すなわち、開閉ストローク位置は、開限調整ストッパ４２および閉限ストッパ４３を所定位置に移動し、これにパリソン拡張部材３１のフランジ４１を当てて調整している。また、開限位置の検出は、リミットスイッチ（図示せず）によって行なっている。
【００１６】
すなわち、前記開閉シリンダ３２を作動することによって、一対の拡張ピン３７は開閉し、また、油圧シリンダ３６を作動することによって、一対の拡張ピン３７は上下動する。
【００１７】
次に、本発明による吹込ノズル回転装置について、図１〜図３を参照して詳細に説明する。図１は吹込ノズル回転装置の要部縦断面図であり、図２は図１のＡ−Ａ線断面図、図３は図１のＢ−Ｂ線断面図である。
【００１８】
吹込ノズル回転装置は、図４〜図５に示した拡張ピン（吹込ノズル兼用）を回転可能とするものである。
【００１９】
すなわち、図１に示すように、油圧シリンダ３６のピストンロッド３６ａの端部に支持板１が取り付けられ、この支持板１の上部に吹込ノズル回転装置が取り付けられている。
【００２０】
吹込ノズル回転装置は、前記支持板１の上部に取り付けられている円筒状のハウジング２と、このハウジング２内に回転可能かつ軸方向移動不能に嵌挿されている円柱状のロータ３と、このロータ３の上部に取り付けられている吹込ノズル３７と、ハウジング３に取り付けられスプロケットとチェーンを介してロータ３を回転する回転用モータ４とから構成されている。
【００２１】
前記ハウジング３の壁部には、縦方向に間隔を置いて３つの穴５ａ，５ｂ，５ｃが貫通して設けられ、この穴５ａ，５ｂ，５ｃの入口には継手接続用のネジが設けられている。本実施例では、上部の穴５ａは冷却水入口、下部の穴５ｃは冷却水出口、中間の穴５ｂは、空気供給口とされている。ハウジング内壁部の前記穴５ａ，５ｂ，５ｃの上下には、Ｏーリング用溝６が円周方向に設けられている。
【００２２】
前記ロータ３は、ハウジング２の上部に配設されたスラストベアリング７によって回転可能に支持されている。
【００２３】
前記ロータ３の外周壁には、前記ハウジング２の穴５ａ，５ｂ，５ｃに対応した位置にリング状溝８ａ，８ｂ，８ｃが円周方向に設けられている。また、ロータ３の軸方向には、図２に示すように中心とその左右に３本の穴９ａ，９ｂ，９ｃが設けられ、その穴９ａ，９ｂ，９ｃの下部は半径方向の穴１０ａ，１０ｂ，１０ｃを介して前記溝８ａ，８ｂ，８ｃと連通している。
【００２４】
前記ロータ３は、その上部外周にスプロケット１１ａが取り付けられ、回転用モータ４の出力軸に取り付けられたスプロケット１１ｂにより、チェーン１２を介して回転可能とされている。
【００２５】
前記回転用モータは、油圧、電動いずれのモータでもよい。また、チェーン駆動に代えてベルト駆動としてもよい。
【００２６】
前記ロータ３の上部には同心に凹部が設けられ、この凹部に吹込ノズル３７が嵌挿されロックナット１３で固定可能とされている。この吹込ノズル３７の軸方向には、図３に示すように、前記ロータ３の中心に設けられた穴９ｂと連通する空気吹込穴１４ｂが貫通して設けられ、その左右には、前記ロータ３の中心の左右に設けられた穴９ａ，９ｃとそれぞれ連通する半環状の冷却水入・出ジャケット１４ａ，１４ｃが設けられている。この冷却水入・出ジャケット１４ａ，１４ｃは吹込ノズル３７の上端近傍まで延びており、冷却水入・出ジャケット１４ａ，１４ｃの上端は連通している。なお、ロータ３と吹込ノズル３７の各穴の接続部にはＯーリング１５が設けられている。
【００２７】
次に上述した吹込ノズル回転装置の動作について説明する。
【００２８】
まず、吹込ノズル３７をパリソン２３内に入れるために、パリソン拡張装置によって吹込ノズル３７間を縮める。次に、吹込ノズル３７を油圧シリンダ３６で、金型２１の下部の所定位置まで上昇させる。
【００２９】
次に、ダイヘッド２２からパリソン２３を金型２１間に垂下させ、パリソン２３の下部が吹込ノズル３７の外周位置にくるようにする。
【００３０】
次に、成形品の開口部の位置まで吹込ノズル３７を拡張して、型閉し、パリソン２３内に吹込ノズル３７の空気吹込穴１４ｂから空気を吹き込んで成形する。その際、吹込ノズル３７は、冷却水入・出ジャケット１４ａ，１４ｃに供給される冷却水によって冷却されている。
【００３１】
次に、回転用モータ４によって吹込ノズル３７を回転して、成形品のネジから吹込ノズル３７のネジを外す。
【００３２】
上述した動作において、吹込空気および冷却水の流路は、上述した吹込ノズル回転装置によって常に連通している。
【００３３】
上記実施例では、吹込ノズルがパリソン拡張装置の拡張ピンを兼ねているとしたが、本発明による吹込ノズル回転装置は、拡張ピンを兼ねない通常の吹込ノズルにも適用できる。
【００３４】
【発明の効果】
本発明は、以上のように構成されているので、吹込ノズル回転装置に取り付けられた吹込ノズルの冷却が可能となり、成形サイクルの短縮が可能となる。
【図面の簡単な説明】
【図１】本発明による吹込ノズル回転装置の要部縦断面図である。
【図２】図１のＡ−Ａ線断面図である。
【図３】図１のＢ−Ｂ線断面図である。
【図４】パリソン拡張装置の平面図である。
【図５】パリソン拡張装置の正面図である。
【図６】パリソン拡張装置の作動説明図である。
【図７】従来の吹込ノズル回転装置の構成図である。
【符号の説明】
１  支持板
２    ハウジング
３    ロータ
４    回転用モータ
５ａ，５ｂ，５ｃ    穴
６    Ｏーリング用溝
７    スラストベアリング
８ａ，８ｂ，８ｃ    リング状溝
９ａ，９ｂ，９ｃ  穴（縦）
１０ａ，１０ｂ，１０ｃ    穴（横）
１１ａ，１１ｂ    スプロケット
１２    チェーン
１３    スプロケット
１４ａ    冷却水入ジャケット
１４ｃ    冷却水出ジャケット
１４ｂ    空気吹込穴
１５    Ｏーリング
３６    油圧シリンダ
３７    吹込ノズル（拡張ピン）
【図１】
0003604521.tif 000002
【図２】
0003604521.tif 000003
【図３】
0003604521.tif 000004
【図４】
0003604521.tif 000005
【図５】
0003604521.tif 000006
【図６】
0003604521.tif 000007
【図７】
0003604521.tif 000008